(57)【要約】【課題】従来のウエストアジャスターは、ズボンやスカートを仕立てる時から取付けておくもので、ウエストアジャスターの無いズボンやスカートは、体に合わなくなれば仕立て直しをするしかなく、高価で時間がかかる等の問題点があった。【解決手段】本発明のウエストアジャスタータッククリップを装着する事で、使用しているズボンやスカートが、体が痩せて被服が大きくなった場合に被服にタックを設ける事で、被服のウエストを小さくして着用する事が出来る。再び太って被服が窮屈になった場合は、取り外す事で容易に元に戻す事ができると共に、成長期の子供服等は当初から大き目のズボンやスカートに、本発明の器具を装着して着用しておけば、太って被服が小さくなった場合でも、器具を取り外す事で簡単に被服のウエストサイズを大きくして着用出来る。【選択図】    図1
2005220467.tif 000002
【特許請求の範囲】
【請求項１】
大きいサイズのズボンやスカートに、クリップ支持板1と両サイドのウエスト調整用のクリップ2及びクリップ3で構成する器具を装着し、被服の重ねしろによるタックを設けることでウエストサイズを小さくし、被服の仕立て直しをすることなく、体にあったサイズで着用出来るようにする器具の特徴を有するウエストアジャスタータッククリップ。
【発明の詳細な説明】
【技術分野】
【０００１】
本発明は、ズボン又はスカートの腰周りの大きさが合わなくなった場合やサイズの大きい場合に、被服のウエストサイズを仕立て直すことなく、ズボン又はスカートにタックをつけたり取り除いたりして、簡単に腰周りを調節して使用できる調整具を提供する。
【背景技術】
【０００２】
従来のウエストサイズの調節方法は、仕立て時から余裕幅を持たせベルト等で調節するようにしたもの、フックやボタンを数個使用し、止める位置を変えてウエスト調節をするものや、スライドして固定する調整具を使用するものが多く、仕立て時からズボンやスカートに取付けておかなければならなかった。
【０００３】
従来のウエスト調節方法としては、スカートやズボンを仕立てる時点で調節しろを設けておき、ベルトやファスナー等で調節しろを隠しファッション性を持たせるものがある。（例えば、特許文献１、特許文献２、特許文献３、特許文献４、特許文献５、特許文献６参照。）。
【０００４】
ウエスト調節の為に、ボタンやフック等の掛止め金具を数個取付けておき、引っ掛ける位置によりウエスト調節するものもある。（例えば、特許文献７、特許文献８、特許文献９、特許文献１０参照。）。
【０００５】
スライドするウエスト調節用アジャスターを取付けて、アジャスターのスライド長により調節するものもある。（例えば、特許文献１１、特許文献１２、特許文献１３、特許文献１４、特許文献１５参照。）。
【０００６】
【特許文献１】特開２００２−２８５４０７号公報
【特許文献２】特開２００２−２７５７０９号公報
【特許文献３】特開２００２−６９７１２号公報
【特許文献４】特開平１０−８３０５号公報
【特許文献５】特開平８−１７６９０７号公報
【特許文献６】特開平８−１５８１１６号公報
【特許文献７】特開２００２−３３９１１３号公報
【特許文献８】特開２００２−３４６１２号公報
【特許文献９】特開２００１−３２１２０６号公報
【特許文献１】特開２０００−１７００２０号公報
【特許文献２】特開２００３−１０２５２０号公報
【特許文献３】特開２００１−１３１８１６号公報
【特許文献４】特開２００１−１１７１９号公報
【特許文献５】特開平８−３２２６０７号公報
【特許文献６】特開平８−２２８８０８号公報
【発明の開示】
【発明が解決しようとする課題】
【０００７】
解決しようとする問題点は、従来のズボンやスカートの腰周りの調節は、当初よりアジャスターが取付けられていたものの他は、仕立て直しをするしか方法が無かった。経済的にも高価となり時間がかかる等の問題点があった。
【課題を解決するための手段】
【０００８】
上記目的を達成する為に請求項1によれば、大きいサイズのズボンやスカートに、クリップ支持板1と両サイドのウエスト調整用のクリップ2及びクリップ3で構成する器具を装着し、被服の重ねしろによるタックを設けることでウエストサイズを小さくし、被服の仕立て直しをすることなく、体にあったサイズで着用出来るようにする器具の特徴を有するウエストアジャスタータッククリップを提供する。
【発明の効果】
【０００９】
本発明は、以上説明したような特徴をもっているので、以下に記載されるような効果がある。
【００１０】
本発明のウエストアジャスタータッククリップは、ズボンやスカートの腰周りを小さくする場合に用い、ズボンやスカートのタックを作れる位置に装着する事で、ウエスト調節が経済的に容易に行える。
【００１１】
ズボンやスカートで大き目のサイズのものにはウエストアジャスタータッククリップを当初から装着して着用しておくと、太った場合には取り外す事で容易に元のサイズに戻す事が出来る。
【発明を実施するための最良の形態】
【００１２】
腰周りが病気やダイエット等で小さくなった場合は、今まで使用していたズボンやスカートが合わなくなる。腰周りがやせてゆるくなったズボンやスカートに、本発明のウエストアジャスタータッククリップのクリップ支持板1とクリップ2で被服の重ねしろを作りタックを設ける。クリップ3で装着位置のずれを止めることで被服の腰周りの長さを小さくする事が出来る。ズボンやスカートにウエストアジャスタータッククリップを装着し、タックをつけてウエストサイズを小さくする事で仕立て直しすることなく着用出来る。
【００１３】
ウエストアジャスタータッククリップは、１個の構造体で形成したものでも、クリップ支持板1、クリップ２、及び、クリップ３を分離したものでも良い。
【００１４】
ウエストアジャスタータッククリップを装着して着用していたズボンやスカートが、太って合わなくなった場合は、ウエストアジャスタータッククリップを取り外す事で、容易に元のサイズに戻し着用出来る。
【００１５】
成長期の子供服等は当初から大き目のズボンやスカートに、本発明のウエストアジャスタータッククリップを装着して着用しておけば、成長して被服が小さくなった場合でも、ウエストアジャスタータッククリップを取り外す事で簡単に被服のウエストサイズを大きくして着用出来る。
【実施例】
【００１６】
発明の実施の形態を、図面を参照して説明する。
図１に示す本発明のウエストアジャスタータッククリップを、ズボンやスカートのウエストの内側に付け、クリップ２に引っ掛けクリップ３で位置を固定しタックをつける。ベルトラインの下側の腰部はアイロン等で折り目をつけても良い。
【００１７】
本発明ウエストアジャスタータッククリップを装着すれば、図１及び図2で示すように、タックで重ね合わした長さの分ウエストサイズが小さくなり、ズボンやスカートの仕立て直しをすることなく簡単ウエストサイズを小さくして着用出来る。
【図面の簡単な説明】
【００１８】
【図１】ウエストアジャスタータッククリップ装着の内側からの斜視図である。
【図２】ウエストアジャスタータッククリップ装着の外側からの斜視図である。
【図３】クリップ一体型ウエストアジャスタータッククリップの斜視図である。
【図４】ウエストアジャスタータッククリップの正面図、側面図、平面図である。
【図５】クリップ分離型ウエストアジャスタータッククリップの分離図である。
【符号の説明】
【００１９】
１  クリップ支持板
２  タック用クリップ
３  位置固定用クリップ  
【図１】
2005220467.tif 000003
【図２】
2005220467.tif 000004
【図３】
2005220467.tif 000005
【図４】
2005220467.tif 000006
【図５】
2005220467.tif 000007